(57)【特許請求の範囲】
【請求項１】
一対のファスナーテープ(3) の対向するテープ側縁部にエレメント列(4) を取着した左右一対のファスナーストリンガー(2) と、前記エレメント列に挿通されたスライダー(9,9',52) とを備え、前記スライダー(9,9',52) は、少なくとも１つの窓部(19,67) を有する上翼板(11,61) と下翼板(12,62) との間にエレメント案内路(14,64) が形成されたスライダー胴体(10,60) と、前記上翼板(11,16) の上面側に回動自在に取り付けられた引手(30,30',70) と、同引手に一体に形成され、前記上翼板(11,61) の前記窓部(19,67) を介して前記エレメント案内路(14,64) に突出し、前記エレメント列(4) を構成するエレメント(5) 間に嵌入可能な停止爪(31,31',71a,71b)と、前記スライダー(9,9',52) の後口側への前記引手(30,30',70) の回動を、その回動限で停止させる停止手段と、を有し、
前記停止爪(31,31',71a,71b)は、前記エレメント(5) 間に嵌入する少なくとも１つの爪部(37,38,38') を有し、
前記爪部(37,38,38') の前面には、前記エレメント列(4) の第１エレメント(5) に当接可能な第１当接面が形成され、前記第１当接面とは反対側の面である前記爪部(37,38,38') の後面には、前記第１エレメント(5) の後ろ側に隣接する第２エレメント(5) を当接可能とした第２当接面が形成され、
前記第１当接面は、前記第１エレメント(5) に当接して、前記スライダー(9,9',52) の後口側への前記引手(30,30',70) の自重による自由な回動を一時的に停止させ、
前記第２当接面は、前記爪部(37,38,38') の前記第１エレメントと前記第２エレメント(5) との間への嵌入時、前記第２エレメント(5) に当接して、前記スライダー(9,9',52) の強制移動を停止させ、
前記停止手段は、前記第２当接面に前記第２エレメント(5) が当接した状態から、更に前記スライダー(9,9',52) の強制移動が生じたとき、前記引手(30,30',70) の自由回動を前記引手(30,30',70) の回動限において停止させ、前記スライダー(9,9',52) の更なる強制移動を停止させる手段である、
スライダー停止機構付きスライドファスナー。
【請求項２】
前記停止爪(31,31’,71a,71b) は、前記引手(30,30’,70)に有する回動軸部(34,34’,74)から、引手長さ方向に対して前記上翼板側に直交する方向に延設されてなる請求項１記載のスライドファスナー。
【請求項３】
前記停止爪(31,31’,71a,71b) は、前記引手(30,30’,70)に連結された爪体基部(36)を有し、
前記爪部(37,38) は、前記爪体基部(36)の先端から左右に１つずつ延設され、互いの位置が前記エレメント(5) 間の間隔で引手長さ方向にずらされて配されてなる、
請求項１記載のスライドファスナー。
【請求項４】
前記停止爪(31,31’,71a,71b) の、前記エレメント案内路(14,64) から完全な退避時、前記上翼板(11,61) の後口側上面と前記引手(30,30’,70)との角度θが３０°以上５０°以下に設定されてなる請求項１記載のスライドファスナー。
【発明の詳細な説明】
【技術分野】
【０００１】
本発明は、弾性部材を使用することなく、スライダーを自動的にロックすることが可能なスライダー停止機構付きスライドファスナーに関する。
【背景技術】
【０００２】
衣服等に用いられる従来のスライドファスナーには、スライダーの非操作時に左右のファスナーストリンガーが不意に開いてしまうことを防止するため、停止機構を備えたスライダーをエレメント列に挿通したものが知られている。一般に、停止機構を備えたスライダーは、スライダーの上下翼板間に形成されたエレメント案内路に進退可能な停止爪と、同停止爪をエレメント案内路内へ付勢する板ばねとを有しており、スライダーの非操作時に停止爪を板ばねで付勢して停止爪の一部（爪部）をエレメント列に係合させることによってスライダーの移動を停止させている。
【０００３】
ところで、近年では環境問題に対する取り組みとして、材料などをリサイクルし易くするために、製品を構成する各部品を同じ材質で形成することが要望されている。しかし、上述のような従来の停止機構を備えたスライダーでは、例えばスライダーや引手などを合成樹脂で成形し、その一方で弾性を有する板ばねを金属部材で形成するというように板ばねがその他の部材と異なる材質で作製されていることが多い。このため、スライダーの材料をリサイクルする際に部品の分別が必要となり、手間がかかるという問題があった。
【０００４】
また、このようなリサイクルの問題を解決するために、例えば板ばね等の弾性部材を合成樹脂で作製することもあるが、通常、合成樹脂製の弾性部材は経年変形し易く、長期の使用によって弾性が発揮されなくなるという問題があった。
【０００５】
更に、スライダーのリサイクルを考慮して、板ばねを使用せずに、同じ材質からなる部品を用いて構成された停止機構付きスライダーが、特開２０００−３３３７１０号公報（特許文献１）に開示されている。また、米国特許第２，９７２，７９３号明細書（特許文献２）には、板ばねを用いない停止機構付きスライダーが開示されている。
【０００６】
前記特許文献１に記載されているスライダーは、全ての構成部品が合成樹脂により形成されており、具体的には、スライダー胴体、引手、停止爪（爪体）、及び、引手をスライダー胴体に取り付けるためのカバー体の４つの合成樹脂製の部品から構成されている。また前記引手には、スライダー胴体に回動可能に取り付けるための取付軸（枢軸）と、同取付軸から引手長さ方向に対して直角に突設された断面親指形状のカムとが配されている。
【０００７】
このような構成を有する特許文献１のスライダーは、スライダー胴体に取り付けた引手を後口側へ回動させて非操作位置に保持することにより、前記カムによってスライダー胴体に収容された停止爪が押圧される。これにより、同停止爪が左右のエレメント列を押圧するとともに同停止爪の一部がエレメント間に圧入するため、スライダーが停止状態にロックされる。
【０００８】
前記特許文献２には、図１３に示すように、引手８２に山形状の停止爪８３とフック形状の引込爪８４とを備えた停止機構付きスライダー８１が記載されている（特許文献２の第２図を参照）。前記特許文献２によれば、引込爪８４は、引手８２の押し下げによりエレメント列８５に係合する最初の爪であり、引手８２が非ロック位置にあるときにファスナーが動くことによって、引込爪８４及び停止爪８３がロック位置に引き込まれることが説明されている。即ち、前記特許文献２のスライダー８１では、引込爪８４がエレメント列８５に引き込まれることにより、引手８２が回動して停止爪８３がエレメント列８５に係合するため、スライダー８１がロックされる。
【特許文献１】特開２０００−３３３７１０号公報
【特許文献２】米国特許第２，９７２，７９３号明細書
【発明の開示】
【発明が解決しようとする課題】
【０００９】
前記特許文献１に記載の合成樹脂製スライダーは、前述のように停止爪がエレメント列に押圧するとともに停止爪の一部をエレメント間に圧入することにより、スライダーが容易にロックされる。しかしながら、スライダーをこのようにロックするためには、ユーザーが引手を回動操作して、引手に設けたカムにより停止爪を押圧する必要があり、スライダーを自動的にロックすることができなかった。
【００１０】
また、前記特許文献１では、スライダーをロックしたときに引手のカム及び停止爪が大きな荷重を受けることから、長期に渡って繰り返し使用することによりカムや停止爪が磨耗を起こしてしまう。その結果、スライダーのロック機能が低下したり、働かなくなるという問題もあった。更に、特許文献１のスライダーは前述のように４つの部材で構成されているものの、製造コストの低減や組み立ての容易さ等の点から、スライダーの構成部品点数をより少なくすることが望まれていた。
【００１１】
前記特許文献２に記載されているスライダー８１は、前述のようにファスナーが動くことにより、引込爪８４がエレメント列８５に引き込まれて引手８２が回動するため、前記特許文献１のスライダーのようにユーザーが引手の回動操作をわざわざ行わなくても、スライダーをロックすることが可能である。
【００１２】
しかし、前記特許文献２のスライダー８１は、引手８２に停止爪８３と引込爪８４の形状が異なる２つの小さな爪を形成しなければならないため、引手８２の形状が複雑になるとともに、スライダー８１の大型化を招くという問題があった。また、特許文献２には、引手８２に形成する停止爪８３及び引込爪８４の位置や寸法に関する具体的な説明が全くなされていない。特許文献２のスライダー８１において、停止爪８３及び引込爪８４の位置や寸法を適切に設定することは重要であり、停止爪８３及び引込爪８４の位置や寸法によっては、停止爪８３を著しく磨耗させたり、スライダー８１のロックを安定して行うことができないという問題を生じさせる。
【００１３】
本発明は上記従来の課題に鑑みてなされたものであって、その具体的な目的は、弾性部材を使用することなく、スライダーを自動的にロックすることができ、しかも、長期に渡って繰り返し使用してもスライダーのロック機能を安定して維持することが可能なスライドファスナーを提供することにある。
【課題を解決するための手段】
【００１４】
上記目的を達成するために、本発明により提供されるスライドファスナーは、基本的な構成として、一対のファスナーテープの対向するテープ側縁部にエレメント列を取着した左右一対のファスナーストリンガーと、前記エレメント列に挿通されたスライダーとを備え、前記スライダーは、少なくとも１つの窓部を有する上翼板と下翼板との間にエレメント案内路が形成されたスライダー胴体と、前記上翼板の上面側に回動自在に取り付けられた引手と、同引手に一体に形成され、前記上翼板の前記窓部を介して前記エレメント案内路に突出し、前記エレメント列を構成するエレメント間に嵌入可能な停止爪と、前記スライダーの後口側への前記引手の回動を、その回動限で停止させる停止手段とを有し、前記停止爪は、前記エレメント間に嵌入する少なくとも１つの爪部を有し、前記爪部の前面には、前記エレメント列の第１エレメントに当接可能な第１当接面が形成され、前記第１当接面とは反対側の面である前記爪部の後面には、前記第１エレメントの後ろ側に隣接する第２エレメントを当接可能とした第２当接面が形成され、前記第１当接面は、前記第１エレメントに当接して、前記スライダーの後口側への前記引手の自重による自由な回動を一時的に停止させ、前記第２当接面は、前記爪部の前記第１エレメントと前記第２エレメントとの間への嵌入時、前記第２エレメントに当接して、前記スライダーの強制移動を停止させ、前記停止手段は、前記第２当接面に前記第２エレメントが当接した状態から、更に前記スライダーの強制移動が生じたとき、前記引手の自由回動を前記引手の回動限において停止させ、前記スライダーの更なる強制移動を停止させる手段である、ことを最も主要な特徴とするものである。
【００１５】
また、前記停止爪は、前記引手に有する回動軸部から、引手長さ方向に対して前記上翼板側に直交する方向に延設されていることが好ましい。
【００１６】
更に、前記停止爪は、前記引手に連結された爪体基部を有し、前記爪部は、前記爪体基
部の先端から左右に１つずつ延設され、互いの位置が前記エレメント間の間隔で引手長さ方向にずらされて配されていることが好ましい。
【００１７】
また本発明において、前記停止爪が前記エレメント案内路から完全に退避するときの前記上翼板の後口側上面と前記引手との角度θが３０°以上５０°以下に設定されていることが好ましい。
この場合、前記引手の回動軸部の軸中心から前記停止爪の前記爪部先端までの長さＡと、前記スライダーの強制移動停止時における前記スライダーの前記上翼板内面から前記停止爪の前記爪部先端までの長さＢとの割合Ｂ／Ａの値が、０．１４以上０．３５以下に設定されていることが好ましく、更に、前記長さＢは０．５ｍｍ以上１．０ｍｍ以下に設定されていることが好ましい。
【発明の効果】
【００１８】
本発明に係るスライドファスナーは、左右一対のファスナーストリンガーと、スライダーとを備え、前記スライダーは、上下翼板間にエレメント案内路が形成されたスライダー胴体と、上翼板上面側に回動自在に取り付けられた引手と、引手に一体に形成され、上翼板に形成した窓部を介してエレメント案内路に突出してエレメント間に嵌入可能な停止爪とを有している。
【００１９】
また、停止爪は爪部を有し、前記爪部は、第１当接面及び第２当接面を有している。この場合、爪部の第１当接面は、スライダーの摺動操作終了後に引手が自重で回動したときに、エレメント列の第１エレメントに当接することによって、引手の回動を一時的に停止させる。また、爪部の第１当接面は、引手の回動停止状態にてファスナーストリンガーが横引き力を受けることによりスライダーがエレメント開離方向に強制移動を開始したときに、引手が自重回動を再開して爪部をエレメント間に嵌入させた状態で第２エレメントに当接することによって、スライダーの強制移動を停止させる。なお本発明において、スライダーの強制移動は、引手を摘んでスライダーを摺動操作することによる通常の移動とは異なる移動を表している。
【００２０】
このようなスライダーを有する本発明のスライドファスナーによれば、引手の自重回動とスライダーのエレメント開離方向への強制移動を利用して停止爪の爪部をエレメント間に嵌入することができるため、板ばねのような弾性部材を使用せずにスライダーを自動的に安定してロックすることができる。
【００２１】
また、本発明のスライドファスナーでは、スライダーをロックする際に、例えば前記特許文献１に記載のスライダーのような停止爪を押圧するためのカムを用いなくても、停止爪の爪部が引手の自重回動によりエレメント間に容易に嵌入するため、スライダーのロックを繰り返し行っても停止爪が磨耗することを抑えることができる。このため、スライダーのロック機能を長期に渡って安定して維持することが可能となる。
【００２２】
更に、本発明のスライドファスナーに用いられるスライダーは、停止爪が引手と一体に形成されている。このため、本発明は、例えば前記特許文献１のような引手と停止爪とが別部品で形成されているスライダーに比べて、スライダーの構成部品点数を少なくでき、その結果、スライダーのコスト低減が図れ、また、スライダーの組み立てをより容易に行うことが可能となる。
【００２３】
特に、本発明における停止爪は、引手の回動停止状態からスライダーが強制移動することにより、爪部の第１当接面を第１エレメントに当接させながら引手が自重により回動を再開するとともに、同引手の回動により爪部を第１及び第２エレメント間に嵌入させ、次に、爪部がエレメント間に嵌入した状態で、スライダーが更に強制移動することにより、爪部の第２当接面を第２エレメントに当接させ、更に、第２当接面が第２エレメントに当接した状態で引手の回動がその回動限で停止したときに、スライダーの強制移動を停止させるように構成されている。これにより、スライダーが強制移動したときに、同スライダーをより安定して停止させてロックすることができる。
【００２４】
このような本発明のスライドファスナーにおいて、前記停止爪は、引手の回動軸部から、引手長さ方向に対して上翼板側に直交する方向に延設されている。これにより、第２当接面が第２エレメントに当接した状態で引手の回動が停止することにより、スライダーの強制移動を容易に停止させ、スライダーを確実にロックすることができる。なお、停止爪が引手長さ方向に対して上翼板側に直交する方向に延設されていれば、例えば同停止爪の爪体基部前面を上翼板に形成した窓部の前壁面に当接させることにより、上述のように第２当接面が第２エレメントに当接した状態で引手の回動を確実に停止させることができる。
【００２５】
また、本発明において、前記停止爪は引手に連結された爪体基部を有し、前記爪部は、爪体基部の先端から左右に１つずつ延設され、左右爪部の互いの位置がエレメント間の間隔で引手長さ方向にずらされて配されている。これにより、停止爪は、左右の各爪部を左右エレメント列のエレメント間にそれぞれ容易に嵌入することができ、スライダーのロックをより確実に行うことができる。
【００２６】
更に、本発明において、前記停止爪がエレメント案内路から完全に退避するときの上翼板の後口側上面と引手との角度θが３０°以上５０°以下、好ましくは３５°以上４５°以下に設定されている。本発明者等による調査によれば、例えばスライドファスナーを衣服の前立て部分に取着した場合に、引手を摘んでスライダーをエレメント開離方向に摺動操作する際の上翼板に対する引手の傾斜角度は、５０°よりも大きいことが明らかになった。
【００２７】
従って、上述のように停止爪がエレメント案内路から退避するときの上翼板と引手との角度θを５０°以下に設定することにより、スライダーをエレメント開離方向や閉鎖方向に摺動する際に、停止爪がエレメント列に引っ掛かることを防止でき、スライダーの摺動操作を円滑に行うことができる。また、停止爪がエレメント案内路から退避するときの上翼板と引手との角度θを３０°以上に設定することにより、引手を上翼板の後口側に完全に傾倒させたときのエレメント案内路内へ突出する停止爪の突出量を適切に確保し、スライダーを安定してロックすることができる。
【００２８】
この場合、引手の回動軸部の軸中心から停止爪の爪部先端までの長さＡと、スライダーの強制移動停止時における上翼板内面から停止爪の爪部先端までの長さＢとの割合Ｂ／Ａの値が、０．１４以上０．３５以下に設定されている。これにより、上翼板に対する引手の角度が３０°以上５０°以下のときに、停止爪をエレメント案内路から確実に退避させることができる。
【００２９】
更に本発明では、前記長さＢの値が０．５ｍｍ以上１．０ｍｍ以下に設定されている。これにより、前記引手の回動停止状態からスライダーが強制移動した際に、爪部をエレメント間に円滑に、且つ確実に嵌入することができ、スライダーのロックを一層安定して行うことができる。
【発明を実施するための最良の形態】
【００３０】
以下、本発明の好適な実施の形態について、実施例を挙げて図面を参照しながら詳細に説明する。
【実施例１】
【００３１】
図１〜図５は、本発明の実施例１に係るスライドファスナーを示している。ここで、図１は、同スライドファスナーの正面図である。また、図２は、同スライドファスナーが備えるスライダーを分解して示した分解斜視図であり、図３は、同スライダーの引手及び停止爪を拡大して示した拡大斜視図である。更に、図４は、同スライダーの縦断面図であり、図５は、図４に示したＶ−Ｖ線断面図である。
【００３２】
本実施例１に係るスライドファスナー１は、図１に示したように、左右一対のファスナーストリンガー２と、スライダー９とを備えている。
前記ファスナーストリンガー２は、左右一対のファスナーテープ３と、同ファスナーテープ３の対向するテープ側縁部に取着されて左右のエレメント列４を形成するコイル状のエレメント５を有している。この場合、コイル状のエレメント５は、ポリアミドやポリエステル等の合成樹脂製モノフィラメントから形成されており、例えば図５に示したように、エレメント内部に芯紐６が挿通された状態でファスナーテープ３の側縁部に縫着糸７の二重環縫によって縫着されている。なお、本実施例１において、スライドファスナー１のチェーン幅は約６ｍｍに設定されている。
【００３３】
前記スライダー９は、図２に示したように、スライダー胴体１０と、スライダー胴体１０に回動可能に取り付けられる引手３０と、引手３０をスライダー胴体１０に取り付けるためのカバー体４０の３つの部品から構成されており、引手３０にはスライダー９をロックさせるための停止爪３１が一体に形成されている。これら３つの部品１０，３０，４０は、リサイクルし易いように、ポリアミド、ポリアセタール、ポリプロピレン、ポリブチレンテレフタレートなどの熱可塑性樹脂を用いて、射出成形手段または押出成形手段によって所定の形状に成形されている。
【００３４】
前記スライダー胴体１０は、上翼板１１と下翼板１２とが案内柱１３により前部で連結されており、略平行に配された上下翼板１１，１２間には、前部に設けられた左右の肩口と後端に設けられた後口とを連通するＹ字状のエレメント案内路１４が形成されている。上翼板１１の後部側左右側縁には、上部フランジ１５が下翼板１２に向けて上翼板１１と直交する方向に垂設されている。
【００３５】
また、スライダー胴体１０の上翼板１１の略中央部には、停止爪３１を収容する収容部１７が形成されており、この収容部１７の底部には、前後方向に架橋された仕切部１８と、同仕切部１８の左右両側にエレメント案内路１４まで穿設された左右の窓部１９とが配されている。収容部１７の左右両側には、支持壁部２１が立設されており、この支持壁部２１の中央部には、引手３０の後述する回動軸部３４を載置するための凹状の軸受部２２が形成されている。更に、収容部１７の前後には、カバー体４０を係着させるための係止部２３ａを備えた係止柱２３が左右の支持壁部２１間に配されている。
【００３６】
前記引手３０は、摘み部となる引手本体３２と、引手本体３２から延設したアーム部３３と、アーム部３３の先端間に配された回動軸部３４とを有しており、回動軸部３４の幅方向中央部には停止爪３１が一体に形成されている。この停止爪３１は、引手長さ方向に対して上翼板１１側に直交する方向に回動軸部３４から延設されており、回動軸部３４に連結した爪体基部３６と、同爪体基部３６の先端から突出した左右の第１及び第２爪部３７，３８とを有している（図３を参照）。
【００３７】
前記爪体基部３６は、図４に示したように、その断面視にて回動軸部３４を包み込むとともに上翼板１１側に膨出するように形成されている。この爪体基部３６の先端面には、スライダー胴体１０の前記仕切部１８を嵌入させるための凹溝３９が幅方向中央部に形成されている。前記第１及び第２爪部３７，３８は、凹溝３９を挟んで左側と右側とに１つずつ、爪体基部３６の先端から直方体状に延設されている。
【００３８】
これら第１爪部３７と第２爪部３８の位置は、ファスナーストリンガー２の隣接するエレメント５間の間隔だけ引手３０の長さ方向に互いにずらされており、左側の第１爪部３７が前方に配され、右側の第２爪部３８が後方に配されている。また、第１及び第２爪部３７，３８は、停止爪３１がエレメント案内路１４に突出したときに、スライダー胴体１０の肩口側に面する第１当接面（前面）と、後口側に面する第２当接面（後面）とをそれぞれ有している。
【００３９】
この場合、第１爪部３７の第１当接面は、後述するように、スライダー９の摺動操作終了後に引手３０が自重回動したときに、エレメント列４の第１エレメント５ａに当接して引手３０の回動を一時的に停止させる役割を果たす。また、第１及び第２爪部３７，３８の第２当接面は、後述するように、引手３０の回動停止状態からスライダー９がエレメント開離方向に強制移動を開始した後に、第２エレメント５ｂに当接してスライダー９の強制移動を停止させる役割を果たす。
【００４０】
前記カバー体４０は、前壁、上壁、及び後壁が連続的に形成されたカバー部４１と、カバー部４１の上壁の左右側縁から垂設された側壁４２と、側壁４２の下端中央部に凹設された軸受部４３と、カバー部４１の前壁及び後壁の内面から内側に突設された被係止部４４とを有している。
【００４１】
上述のようなスライダー胴体１０、引手３０、及びカバー体４０の３つの部品を用いてスライダー９を組み立てる場合、先ず、スライダー胴体１０の収容部１７内に停止爪３１を収容するとともに、引手３０の回動軸部３４をスライダー胴体１０の軸受部２２に載置して、引手本体３２が上翼板１１の上面（外面）と略平行になるように引手３０を保持する。
【００４２】
次に、カバー体４０をスライダー胴体１０の上方から左右支持壁部２１間に嵌着するように被せ、更に、同カバー体４０を下方に押し込んでスライダー胴体１０の係止柱２３に設けた係止部２３ａにカバー体４０の被係止部４４を係止させる。これにより、引手３０の回動軸部３４がスライダー胴体１０の軸受部２２とカバー体４０の軸受部２２との間に嵌入し、引手３０が上翼板１１の上面側に、回動軸部３４を中心として回動可能に取り付けられたスライダー９が得られる。
【００４３】
このようにして組み立てられたスライダー９は、図４に示したように引手３０をスライダー胴体１０の後口側に上翼板１１の上面と略平行となるように傾倒させたときに、停止爪３１の一部がスライダー胴体１０のエレメント案内路１４に突出する。また、この停止爪３１の一部が突出した状態から引手３０をスライダー胴体１０の肩口側に回動させることにより、突出した停止爪３１がエレメント案内路１４から退避するように構成されている。
【００４４】
この場合、本実施例１におけるスライダー９は、停止爪３１がエレメント案内路１４から退避するときの上翼板１１と引手３０との角度θが３０°以上５０°以下に設定されている。
通常、スライダー９をエレメント開離方向や閉鎖方向に摺動操作する場合、上翼板１１の後口側上面に対する引手３０の傾斜角度が５０°以上に保持される。従って、図６に示すように、停止爪３１がエレメント案内路１４から退避するときの前記角度θが５０°以下に設定されていれば、スライダー９の摺動時に停止爪３１がエレメント列４に引っ掛かることなく、スライダー９の摺動操作を円滑に行うことができる。
【００４５】
また、停止爪３１がエレメント案内路１４から退避するときの前記角度θを３０°以上に設定することにより、引手３０をスライダー胴体１０の後口側に完全に傾倒させたときに、停止爪３１のエレメント案内路１４内に突出する突出長さ（即ち、スライダー９の上翼板１１内面から停止爪３１の爪部先端までの長さＢ（図５を参照））を適切な長さで確保することができる。
【００４６】
例えば、停止爪３１がエレメント案内路１４から退避するときの前記角度θが３０°未満であれば、停止爪３１がエレメント案内路１４から退避した状態から引手３０を上翼板１１の後口側に完全に傾倒させる場合に、引手３０は上翼板１１の上面と略平行となる角度までしか回動しないため、引手３０を回動させる角度も３０°未満となる。
【００４７】
この場合、引手３０の回動軸部３４の軸中心から停止爪３１の爪部先端までの長さＡに対する前記長さＢの割合が小さくなる。従って、引手３０を上翼板１１の後口側に完全に傾倒させたときに、停止爪３１のエレメント案内路１４内に突出する突出長さを適切に確保するためには、停止爪３１を大きく形成して長さＡを増大させなければならず、スライダー９の大型化を招く。
【００４８】
言い換えると、前記角度θを３０°以上に設定することにより、引手３０の回動軸部３４の軸中心から停止爪３１の爪部先端までの長さＡに対する前記長さＢの割合が大きくなるため、停止爪３１自体を大きく形成しなくても、停止爪３１のエレメント案内路１４内に突出する突出長さ（前記長さＢ）を適切に確保することができる。このため、後述するように引手３０の回動停止状態からスライダー９がエレメント開離方向に強制移動するときに、停止爪３１をエレメント列４の隣接するエレメント５間に嵌入させてスライダー９を安定してロックすることができる。
【００４９】
特に、本実施例１におけるスライダー９は、停止爪３１がエレメント案内路１４から退避するときの上翼板１１と引手３０との角度θを３０°以上５０°以下に設定するために、引手３０の回動軸部３４の軸中心から停止爪３１の爪部先端までの前記長さＡと、スライダー９をロックしたときにおけるスライダー９の上翼板１１内面から停止爪３１の爪部先端までの前記長さＢとの割合Ｂ／Ａの値が、０．１４以上０．３５以下に設定される。なお、この割合Ｂ／Ａの値は、停止爪３１がエレメント案内路１４から退避するときの上翼板１１と引手３０との角度θから、三角関数を利用して導き出される。
【００５０】
この場合、本実施例１におけるスライダー９では、スライドファスナー１のチェーン幅が６ｍｍであることから、スライダー９を確実にロックするために、スライダー９の上翼板１１内面から停止爪３１の爪部先端までの長さＢが、０．５ｍｍ以上１．０ｍｍ以下、特に、０．６ｍｍ以上０．８ｍｍ以下に設定されることが好ましい。なお、例えば前記長さＢが０．５ｍｍに設定される場合には、前記長さＡは、割合Ｂ／Ａの範囲に基づいて１．４３ｍｍ以上３．５７ｍｍ以下に設定され、また、前記長さＢが１．０ｍｍに設定される場合には、前記長さＡは２．８６ｍｍ以上７．１４ｍｍ以下に設定される。
【００５１】
上述のようなスライダー９をエレメント列４に挿通させた本実施例１のスライドファスナー１は、主に衣服の前立て等に鉛直方向に沿って、スライダー９の肩口側を上向きにし、後口側を下向きにした状態で取着されて使用される。この場合、例えば図６に示したように、引手３０を上翼板１１の後口側上面に対して５０°以上に保持してスライダー９をエレメント開離方向又は閉鎖方向に摺動操作することにより、停止爪３１がエレメント列４に引っ掛かることなく、左右のファスナーストリンガー２を円滑に開離又は閉鎖することができる。
【００５２】
なお、衣服の前立て等に取着されたスライドファスナー１では、ユーザーがスライダー９をエレメント開離方向又はエレメント閉鎖方向に摺動操作する場合、引手３０を指で摘んで上翼板１１の後口側上面に対して自然に５０°以上に傾けた状態でスライダー９を摺動させる。このため、本実施例１のスライドファスナー１は、ユーザーに対して引手３０を必要以上に持ち上げるという意識を抱かせずに、スライダー９の操作を円滑に行うことができる。
【００５３】
そして、スライダー９を所望の位置まで摺動させてスライダー９の操作を終了させると、ユーザーは引手３０を離すため、引手３０は自重によりスライダー９の後口側に回動する。これにより、引手３０は、停止爪３１を上翼板１１に形成した窓部１９を介してエレメント案内路１４内に突出させ、図７に示したように、停止爪３１に配した第１爪部３７の第１当接面をファスナーストリンガー２のエレメント５の１つに当接させるため、引手３０が上翼板１１の後口側上面に対して所定の角度で傾いた回動停止状態で保持される。このとき、第１爪部３７が当接したエレメントを第１エレメント５ａとする。
【００５４】
このようにスライダー９の操作終了時に引手３０が回動停止状態で保持されることにより、停止爪３１がスライダー９をロックしていないことを容易に視認することができる。また、例えばスライダー９の摺動操作を再開するときにユーザーが引手３０を摘み易く、スライダー９の操作を容易に行うことができる。なお本実施例１において、第１爪部３７の第１当接面は、引手３０が回動停止状態で保持されるときに第１爪部３７が第１エレメント５ａに適切に当接できるように、爪体基部３６の前面よりも後方側に僅かに傾斜して形成されている。
【００５５】
そして、引手３０が上述のような回動停止状態で保持されているときに、例えば左右のファスナーストリンガー２が横引き力を受けて同ファスナーストリンガー２が図１の仮想線から実線のように開いた場合、スライダー９は、エレメント開離方向に強制的に移動させられる。この場合、引手３０の回動停止状態からスライダー９が強制移動することにより、図８に示すように、第１爪部３７の第１当接面が第１エレメント５ａに当接しながら引手３０が再び自重により回動する。これにより、第１爪部３７が左側のエレメント列４の第１エレメント５ａとその後側に隣接する第２エレメント５ｂとの間に嵌入するとともに、停止爪３１の第２爪部３８も右側のエレメント列４のエレメント５間に嵌入する。
【００５６】
このとき、本実施例１では、停止爪３１の第１及び第２爪部３７，３８における第１当接面と第２当接面との間隔は、ファスナーストリンガー２のエレメント５間の間隔よりも小さく設定されている。このため、引手３０が自重で回動することにより、停止爪３１の第１及び第２爪部３７，３８を左右エレメント列４のエレメント５間に容易に嵌入させることができる。
【００５７】
更に、第１及び第２爪部３７，３８が左右エレメント列４のエレメント５間に嵌入した状態でスライダー９が強制移動することにより、左右のエレメント５が、スライダー胴体１０に対してスライダー９の前方に相対的に移動する。このため、第１爪部３７の第２当接面が左側のエレメント列４の第２エレメント５ｂに当接するとともに、第２爪部３８の第２当接面も右側のエレメント列４のエレメント５に当接する。
【００５８】
その後、第１及び第２爪部３７，３８の第２当接面がエレメント５に当接した状態でスライダー９が強制移動することにより、図９及び図１０に示すように、停止爪３１の爪体基部３６の前面が上翼板１１の窓部１９の前壁面に当接し、引手３０の回動がその回動限で停止する。即ち、このように窓部１９の前壁面に爪体基部３６の前面が当接することにより引手３０の回動が停止されるため、エレメント５間に嵌入した第１及び第２爪部３７，３８がエレメント５との当接を維持してライダー９の強制移動を停止させ、スライダー９が安定してロックされる。なお、図１０では、スライダー９のロック時における第１及び第２爪部３７，３８の位置を判り易く示すために、スライダー９が断面で表されている。
【００５９】
また、本発明において、引手の回動をその回動限で停止させる手段は、上述のように停止爪の爪体基部前面を上翼板の窓部前壁面に当接させることに限定されるものではなく、その他の手段を用いることもできる。例えば、上翼板の後口側上面に引手支持柱を立設しておき、引手を同支持柱に当接させることによって引手の回動をその回動限で停止させることも可能である。
【００６０】
以上のように、本実施例１のスライドファスナー１は、引手３０の自重回動とスライダー９のエレメント開離方向への強制移動を利用して、停止爪３１の第１及び第２爪部３７，３８をエレメント５間に嵌入することができる。このため、同スライドファスナー１は、板ばねのような金属製の弾性部材を用いなくても、スライダー９を自動的に安定してロックすることができる。
【００６１】
従って、本実施例１のスライドファスナー１は、同じ合成樹脂から成形された部品のみを用いてスライダー９を構成することができるため、スライダー９の材料を容易にリサイクルすることができる。また、本実施例１のスライドファスナー１は、前記特許文献１のような停止爪３１を押圧するためのカムも用いていないため、スライダー９のロックを繰り返し行っても停止爪３１が磨耗することを防止でき、スライダー９のロック機能を長期に渡って安定して維持することができる。
【００６２】
なお、実施例１のスライドファスナー１では、スライダー９の停止爪３１に左右の第１及び第２爪部３７，３８が配されているが、本発明において、停止爪に形成する爪部は左右の何れかに少なくとも１つ配されていれば良く、例えば図１１に示したように、実施例１の停止爪３１から第１爪部３７が排除された実施例１の変形例となるスライダー９’を用いてスライドファスナーを構成することも可能である。
【００６３】
即ち、図１１に示したスライダー９’は、引手３０’の回動軸部３４’に停止爪３１’の爪体基部３６’が一体に連結されており、この爪体基部３６’の先端から１つの爪部３８’（実施例１の第２爪部に対応）が延設されている。この爪部３８’は、爪体基部３６’に形成した凹溝の右側に配されている。
【００６４】
このようなスライダー９’も、前記実施例１のスライダー９と同様に、引手３０’の回動停止状態からスライダー９’がエレメント開離方向に強制移動するときに、引手３０’の自重回動とスライダー９’の強制移動を利用して、停止爪３１’の爪部３８’をエレメント間に嵌入することができるため、板ばねのような弾性部材を用いずにスライダー９’を自動的にロックすることができる。従って、図１１のスライダー９’を備えたスライドファスナーも、前記実施例１と同様の効果を得ることができる。
【実施例２】
【００６５】
図１２は、本発明の実施例２に係るスライドファスナーに用いられるスライダーを分解して示した分解斜視図である。
本実施例２のスライドファスナーは、図示しない左右一対のファスナーストリンガーと、スライダー５1とを備えている。なお本実施例２におけるファスナーストリンガーについては、前記実施例１と同様のファスナーストリンガーが用いられる。
【００６６】
本実施例２におけるスライダー５1は、スライダー胴体６０と、スライダー胴体６０に回動可能に取り付けられる引手７０の２つの部品から構成されており、引手７０にはスライダー５1をロックさせるための左右の停止爪７１ａ，７１ｂが一体に形成されている。これら２つの部品６０，７０は、ポリアミド、ポリアセタール、ポリプロピレン、ポリブチレンテレフタレートなどの熱可塑性樹脂を用いて射出成形手段または押出成形手段によって所定の形状に成形されている。
【００６７】
前記スライダー胴体６０は、上翼板６１と下翼板６２とが案内柱６３により前部で連結されており、略平行に配された上下翼板６１，６２間には、前部に設けられた左右の肩口と後端に設けられた後口とを連通するＹ字状のエレメント案内路６４が形成されている。上翼板６１の後部側左右側縁には、上部フランジ６５が下翼板６２に向けて垂設されている。また上翼板６１には、スライダー胴体６０の前後略中央部の位置に、孔部６６ａを有する引手取付柱６６がスライダー幅方向に互いに離間して立設されており、これらの左右の引手取付柱６６の内側に、上翼板６１を貫通する左右の窓部６７が平行に穿設されている。
【００６８】
前記引手７０は、摘み部となる引手本体７２と、引手本体７２の一端に配された回動軸部７４と、回動軸部７４に一体に形成され、引手長さ方向に対して上翼板６１側に直交する方向に延設した左右の停止爪７１ａ，７１ｂとを有している。また、同引手７０の一端部には、回動軸部７４側に開口した略三角形状の切込み部７３が形成されている。更に、左右の各停止爪７１ａ，７１ｂは、左右側面視にて逆三角形状を呈しており、引手７０の回動軸部７４に連結した爪体基部と、同爪体基部の先端から突出し、エレメント列のエレメント間に嵌入可能な爪部とが連続的に形成されている。
【００６９】
上述のようなスライダー胴体６０及び引手７０の２つの部品からスライダー５1を組み立てる場合、先ず、引手７０を左右両側から挟み持ち、引手本体７２の回動軸部７４側を左右両側から押圧して切込み部７３の間隔を狭くした状態で保持する。次に、同引手７０の回動軸部７４をスライダー胴体６０の左右引手取付柱６６間に挿入し、その後、引手本体７２の押圧状態を解除して回動軸部７４を引手取付柱６６の孔部６６ａに嵌入する。
【００７０】
このとき、引手７０に一体形成した停止爪７１ａ，７１ｂがスライダー胴体６０の上翼板６１と干渉しないように、引手７０を上翼板６１の後口側上面に対して例えば９０°〜１８０°傾けた状態で、引手７０の回動軸部７４を手取付柱６６の孔部６６ａに嵌入することが好ましい。以上の作業により、引手７０が回動軸部７４を中心に回動可能に取り付けられたスライダー５1が組み立てられる。
【００７１】
このようにして組み立てられたスライダー５1は、引手７０をスライダー胴体６０の後口側に上翼板６１の上面と略平行となるように傾倒させたときに、左右の停止爪７１ａ，７１ｂの一部がスライダー胴体６０のエレメント案内路６４に突出し、また、この停止爪７１ａ，７１ｂの一部が突出した状態から引手７０をスライダー胴体６０の肩口側に回動させることにより、突出した停止爪７１ａ，７１ｂがエレメント案内路６４から退避するように構成されている。
【００７２】
また、本実施例２におけるスライダー５1は、前記実施例１と同様に、停止爪７１ａ，７１ｂがエレメント案内路６４から完全に退避するときの上翼板６１と引手７０との角度θが３０°以上５０°以下に設定されている。これにより、スライダー５1の摺動操作時に停止爪７１ａ，７１ｂがエレメント列に引っ掛かることなく、スライダー５1を円滑に摺動させることができる。それとともに、引手７０を上翼板６１の後口側に完全に傾倒させたときにおける停止爪７１ａ，７１ｂのエレメント案内路６４内に突出する突出長さ（即ち、スライダー５1の上翼板６１の内面から停止爪７１の爪部先端までの長さＢ）を適切な長さで確保することができる。
【００７３】
上述のようなスライダー５1をエレメント列に挿通させた本実施例２のスライドファスナーは、主に衣服の前立て等に縫着されて使用される。この場合、本実施例２のスライドファスナーは、スライダー５1を所望の位置まで摺動させてスライダー５1の操作を終了させると、引手７０は自重によりスライダー５1の後口側に回動する。これにより、引手７０は、停止爪７１ａ，７１ｂを上翼板６１に形成した窓部６７を介してエレメント案内路６４内に突出させ、左側の停止爪７１ａの爪部前面（第１当接面）をファスナーストリンガーのエレメント（第１エレメント）に当接させるため、引手７０が上翼板６１の後口側上面に対して所定の角度で傾いた回動停止状態で保持される。
【００７４】
その後、例えば左右のファスナーストリンガーが横引き力を受けてスライダー５1がエレメント開離方向に強制移動させられると、前記実施例１と同様に、左側停止爪７１ａの爪部前面が第１エレメントに当接しながら引手７０が自重により回動する。これにより、左側停止爪７１ａの爪部が左側エレメント列のエレメント間に嵌入するとともに、右側停止爪７１ｂの爪部も右側エレメント列のエレメント間に嵌入する。
【００７５】
更に、左右の停止爪７１ａ，７１ｂの爪部が左右エレメント列のエレメント間に嵌入した状態でスライダー５1が強制移動することにより、両爪部の後面（第２当接面）が第２エレメントに当接する。
【００７６】
その後、左右の停止爪７１ａ，７１ｂの爪部後面がエレメントに当接した状態でスライダー５１が強制移動することにより、停止爪７１ａの前面が上翼板６１の窓部６７の前壁面に当接し、引手７０の回動がその回動限で停止する。これによって、エレメント間に嵌入した停止爪７１ａ，７１ｂが、スライダー５１の強制移動を停止させて、スライダー５1をロックする。
【００７７】
以上のように、本実施例２のスライドファスナーも、前記実施例１のスライドファスナー１と同様に、引手７０の自重回動とスライダー５1のエレメント開離方向への強制移動を利用して、停止爪７１ａ，７１ｂの爪部をエレメント間に嵌入することによって、板ばねのような弾性部材を用いなくても、スライダー５1を自動的に安定してロックすることができる。その上、スライダー５1のロックを繰り返し行っても停止爪７１ａ，７１ｂが磨耗することを防ぎ、スライダー５1のロック機能を長期に渡って安定して維持することができる。
【００７８】
特に、本実施例２のスライドファスナーは、前記実施例１のスライダー９のようなカバー体４０を備えておらず、前記実施例１よりも構成部品点数を少なくしてスライダー５1が構成されている。従って、部品点数の削減によるスライダー５1のコストダウンが図れるとともに、スライダー５1の組み立てを容易に行うことができる。
【００７９】
なお、本発明は、以上に説明した前記実施例１及び前記実施例２の形態に何ら限定されるものではなく、本発明と実質的に同一な構成を有し、かつ、同様な作用効果を奏しさえすれば、多様な変更が可能である。
【００８０】
例えば、前記実施例１及び前記実施例２のスライドファスナー１，５１において、ファスナーストリンガーに配されるエレメント列は、コイル状の連続エレメントにより形成されている。しかし、本発明はこれに限定されず、例えばコイル状の連続エレメントに代えて、ジグザグ状の連続エレメントをファスナーテープに取着することによってエレメント列を形成することができ、或いは、ファスナーテープに単独エレメントを一体成形することによってエレメント列を形成することもできる。
【００８１】
また、本発明に係るスライドファスナー１は、衣服の前立て以外に、例えば鞄などに取着されても良い。この場合、スライダー９は、鞄の通常使用時に水平状態になるが、引手３０を摘んで摺動操作が終了した後に、引手３０が後口側に少しでも傾いた状態で指を離すと、同引手３０が自重により爪部３７，３８の第１当接面とエレメント５が当接するまで回動する。このため、その後スライダー５１が強制移動したときには、その強制移動を停止させてスライダー５1をロックすることができる。
【図面の簡単な説明】
【００８２】
【図１】本発明の実施例１に係るスライドファスナーの正面図である。
【図２】同スライドファスナーが備えるスライダーを分解して示す分解斜視図である。
【図３】同スライダーの引手及び停止爪を拡大して示す拡大斜視図である。
【図４】同スライダーの縦断面図である。
【図５】図４に示したＶ−Ｖ線断面図である。
【図６】スライダーを摺動操作するときのエレメント列とスライダーの断面を模式的に示す部分断面図である。
【図７】引手の仮保持状態時のエレメント列とスライダーの断面を模式的に示す部分断面図である。
【図８】引手の仮保持状態からスライダーを強制移動させたときのエレメント列とスライダーの断面を模式的に示す部分断面図である。
【図９】スライダーをロックしたときのエレメント列とスライダーの断面を模式的に示す部分断面図である。
【図１０】スライダーをロックしたときのエレメント列とスライダーの状態を説明する説明図である。
【図１１】実施例１の変形例に係るスライダーの一部を示す部分断面図である。
【図１２】本発明の実施例２に係るスライドファスナーが備えるスライダーを分解して示す分解斜視図である。
【図１３】従来のスライダーの一部を示す部分断面図である。
【符号の説明】
【００８３】
１                スライドファスナー
２                ファスナーストリンガー
３                ファスナーテープ
４                エレメント列
５                エレメント
６                芯紐
７                縫着糸
９，９’          スライダー
１０                スライダー胴体
１１                上翼板
１２                下翼板
１３                案内柱
１４                エレメント案内路
１５                上部フランジ
１７                収容部
１８                仕切部
１９                窓部
２１                支持壁部
２２                軸受部
２３                係止柱
２３ａ              係止部
３０，３０’        引手
３１，３１’        停止爪
３２                引手本体
３３                アーム部
３４，３４’        回動軸部
３６，３６’        爪体基部
３７                第１爪部
３８                第２爪部
３８’              爪部
３９                凹溝
４０                カバー体
４１                カバー部
４２                側壁
４３                軸受部
４４                被係止部
５１                スライダー
６０                スライダー胴体
６１                上翼板
６２                下翼板
６３                案内柱
６４                エレメント案内路
６５                上部フランジ
６６                引手取付柱
６６ａ              孔部
６７                窓部
７０                引手
７１ａ，７１ｂ      停止爪
７２                引手本体
７３                切込み部
７４                回動軸部
【図１】
0004906644.tif 000002
【図２】
0004906644.tif 000003
【図３】
0004906644.tif 000004
【図４】
0004906644.tif 000005
【図５】
0004906644.tif 000006
【図６】
0004906644.tif 000007
【図７】
0004906644.tif 000008
【図８】
0004906644.tif 000009
【図９】
0004906644.tif 000010
【図１０】
0004906644.tif 000011
【図１１】
0004906644.tif 000012
【図１２】
0004906644.tif 000013
【図１３】
0004906644.tif 000014